(57)【要約】【課題】係合手段により物品保持部材を取り付けた状態でもホールプラグ自身の取付強度及びシール性を損なわないようにする。【解決手段】パネル３に設けられた開口３ａに挿入される胴部１０と、前記胴部の上周囲に設けられたフランジ部１１と、前記胴部１０に設けられて物品保持部材４を取り付ける係合手段とを備え、フランジ部１１がパネル側に当たって規制されるまで胴部１０を開口に挿入した状態で開口３ａを閉塞するホールプラグにおいて、フランジ部１１は平板状に形成されてパネル３に対し溶融接着材２０により接合一体化されると共に、係合手段１３は開口内に挿入される胴部の底面１０ａに突設されて物品保持部材４の内側に係止可能に挿入される差込部１３を有していることを特徴とする。【選択図】図１
2014015957.tif 000002
【特許請求の範囲】
【請求項１】
パネルに設けられた開口に挿入される胴部と、前記胴部の上周囲に設けられたフランジ部と、前記胴部に設けられて物品保持部材を取り付ける係合手段とを備え、前記フランジ部が前記パネル側に当たって規制されるまで前記胴部を前記開口に挿入した状態で前記開口を閉塞するホールプラグにおいて、
前記フランジ部は平板状に形成されて前記パネルに対しホットメルト等の溶融接着材により接合一体化されると共に、前記係合手段は前記開口内に挿入される前記胴部の底面に突設されて前記物品保持部材の内側に係止可能に挿入される差込部を有している、ことを特徴とするホールプラグ。
【請求項２】
パネルに設けられた開口に挿入される胴部と、前記胴部の上周囲に設けられたフランジ部と、前記胴部に設けられて物品保持部材を取り付ける係合手段とを備え、前記フランジ部が前記パネル側に当たって規制されるまで前記胴部を前記開口に挿入した状態で前記開口を閉塞するホールプラグにおいて、
前記フランジ部は平板状に形成されて前記パネルに溶着により接合一体化される防振シートにより前記パネルと前記防振シートの対応部との間に挟持された状態で拘束されていると共に、前記係合手段は前記開口内に挿入される前記胴部の底面に突設されて前記物品保持部材の内側に係止可能に挿入される差込部を有している、ことを特徴とするホールプラグ。
【請求項３】
前記胴部は、断面が凹状又は逆凹状に形成されて前記差込部を凹状の底面又は逆凹状の内底面の略中心に突出していることを特徴とする請求項１に記載のホールプラグ。
【請求項４】
前記胴部は、断面が逆凹状に形成されて前記フランジ部をパネルに接合一体化、又は前記パネルと前記防振シートの対応部との間に拘束した状態で、前記差込部を突出している逆凹部の内底面が前記パネルの下面とほぼ同じ高さになることを特徴とする請求項１又は２に記載のホールプラグ。
【請求項５】
前記差込部は周囲に溝を形成している溝付きスタッドであることを特徴とする請求項１から４の何れかに記載のホールプラグ。
【請求項６】
前記差込部はＴ形のスタッドであることを特徴とする請求項１から４の何れかに記載のホールプラグ。
【請求項７】
前記差込部は爪付きのクリップであることを特徴とする１から４の何れかに記載のホールプラグ。
【発明の詳細な説明】
【技術分野】
【０００１】
本発明は、パネルの開口を閉塞するホールプラグのうち、特に閉塞機能と共に物品保持部材を取付可能にする係合手段を有したホールプラグに関する。
【背景技術】
【０００２】
図７は特許文献１に開示のホールプラグを使用態様で示している。このホールプラグ４は、本出願人の先願であり、パネル１の開口２に挿入される胴部（環状突起）６と、胴部６の上側周囲に設けられたフランジ部８及びシールフランジ９と、胴部６に設けられて物品保持部材としてロックプレート５を取り付ける係合手段（環状凹部）１０とを備えている。そして、ホールプラグ４は、シールフランジ９がパネル１に当たって規制されるまで胴部６を開口２に挿入した状態で開口２を閉塞すると共に、係合手段１０にロックプレート５を後付けして、該ロックプレート５によりパネル１上に配置されるインシュレータ３を係止可能にする。
【０００３】
すなわち、この構造では、開口２を閉塞するホールプラグ４に閉塞機能と共にロックプレート５を後付け可能にする取付用係合手段１０を設けることにより多機能化を図ったため、専用のロックプレート用取付手段が不要となり、部材数の削減によるコスト削減と設計の自由度を拡大できる。
【先行技術文献】
【特許文献】
【０００４】
【特許文献１】実公平４−３２５２５号公報
【発明の概要】
【発明が解決しようとする課題】
【０００５】
上記特許文献１のホールプラグでは、パネルに対して胴部の係止部がパネル側開口に弾性的に係合されて取り付けられる。このため、使用状態において、ホールプラグに後付けされたロックプレートを介して引き抜き方向の荷重を受けると、係合解除して外れる虞がある。対策としては、パネル側開口に対するホールプラグの係合度合いを増大すると、開口に挿入する際の押力が大きくなって作業性が悪くなる。また、ロックプレートは、ホールプラグに係合された状態でパネルの上側に配置されるため、外力がＸ、Ｙ、Ｚの各方向に加わり易く、その外力によりホールプラグとの間の係合を解除したり、パネル側開口に対するホールプラグの係合を解除する要因となる。
【０００６】
本発明の目的は、以上のような問題を解消して、簡易性を維持しながら、取付強度及びシール性を確実に付与すると共に、係合手段により物品保持部材を取り付けた状態でその物品保持部材及びそれに保持される部材によってホールプラグ自身の取付強度及びシール性を損なわないようにする。他の目的は以下の内容説明の中で明らかにする。
【課題を解決するための手段】
【０００７】
上記目的を達成するため請求項１の本発明は、図１〜図５の構成を特定したもので、パネルに設けられた開口に挿入される胴部と、前記胴部の上周囲に設けられたフランジ部と、前記胴部に設けられて物品保持部材を取り付ける係合手段とを備え、前記フランジ部が前記パネル側に当たって規制されるまで前記胴部を前記開口に挿入した状態で前記開口を閉塞するホールプラグにおいて、前記フランジ部は平板状に形成されて前記パネルに対しホットメルト等の溶融接着材により接合一体化されると共に、前記係合手段は前記開口内に挿入される前記胴部の底面に突設されて前記物品保持部材の内側に係止可能に挿入される差込部を有している、ことを特徴としている。
【０００８】
これに対し、請求項２の発明は、図６の構成を特定したもので、パネルに設けられた開口に挿入される胴部と、前記胴部の上周囲に設けられたフランジ部と、前記胴部に設けられて物品保持部材を取り付ける係合手段とを備え、前記フランジ部が前記パネル側に当たって規制されるまで前記胴部を前記開口に挿入した状態で前記開口を閉塞するホールプラグにおいて、前記フランジ部は平板状に形成されて前記パネルに溶着により接合一体化される防振シートにより前記パネルと前記防振シートの対応部との間に挟持された状態で拘束されていると共に、前記係合手段は前記開口内に挿入される前記胴部の底面に突設されて前記物品保持部材の内側に係止可能に挿入される差込部を有している、ことを特徴としている。
【０００９】
以上の本発明において、『パネル』には、例えば自動車の車室用パネル、水槽や機器のハウジングやケーシングを区画している壁材や板材などが含まれる。『前記フランジ部が前記パネル側に当たって規制される』構成としては、フランジ部がパネルに直接当接する構成と、溶融接着材の接着層に当接する構成を含む。『溶融接着材』とは、例えば、ホットメルトのような接着シートのごとく熱を加えると溶融して接着作用を発揮するような構成であればよい。『制振シート』は、例えば、アスファルトシート、ゴム変性アスファルト、熱可塑性樹脂などからなる。通常は、制振シートをパネル上に配置した後、加熱装置で加熱処理されることによりパネルに溶着される。
【００１０】
以上の本発明は次のように具体化されることがより好ましい。
（１）請求項１において、前記胴部は、断面が凹状又は逆凹状に形成されて前記差込部を凹状の底面又は逆凹状の内底面の略中心に突出している構成である（請求項３）。
（２）請求項１又は２において、前記胴部は、断面が逆凹状に形成されて前記フランジ部を前記パネルに接合一体化、又は前記パネルと前記防振シートの対応部との間に拘束した状態で、前記差込部を突出している逆凹部の内底面が前記パネルの下面とほぼ同じ高さになる構成である（請求項４）。
（３）請求項１から４の何れかにおいて、前記差込部は周囲に溝を形成している溝付きスタッド、Ｔ形のスタッド、弾性爪を有したクリップの何れかである（請求項５〜７）。
【発明の効果】
【００１１】
請求項１又は２の発明は図７のような従来構造に対して次のような点で優れている。
第１に、この構造では、物品保持部材を取り付ける係合手段を設けるタイプにおいて、フランジ部をパネルに面接触し易くするため平板状に形成し、フランジ部をパネルに対し溶融接着材により面接状態で接合一体化、又は、前記パネルと前記防振シートの対応部との間に拘束することから、図７のような係合により取り付ける構造に比べ取付強度及び水密性を確実に向上できる。
第２に、この構造では、物品保持部材がパネルの開口内に挿入される胴部底面側に設けた係合手段に取り付けられるためパネルの表面側、つまり形態例の車室のパネルであれば室内側に露出する胴部上側を極力突出しない形状に設定可能なため、図７のようなパネルの表面側に張り出す構造に比べ不用意な荷重を受け難く、パネルへの安定した取付状態を維持できる。
第３に、この構造では、胴部底面に突設された差込部を利用して物品保持部材を取り付ける、更に物品保持部材を差込部の基端つまり胴部底面に当接して、物品保持部材及びそれに保持される管や線材などは胴部に下向きの荷重として加わるため、ホールプラグの取付強度、及びフランジ部の水密度を補強できる。
【００１２】
請求項３の発明は、差込部が凹状の底面又は逆凹状の内底面の略中心に突設されているため、図１〜図４の各（ｂ）から推察されるごとく差込部を内側に挿入係止した物品保持部材の取付状態において、物品保持部材の下向き荷重をバランスよく受け止めることができる。
【００１３】
請求項４の発明は、フランジ部がパネルに接合一体化された状態、又は前記パネルと防振シートとの間に拘束された状態で、胴部底面の差込部を突出している逆凹部の内底面がパネルの下面とほぼ同じ高さになっているため、例えば、図１〜図３の各（ｂ）のごとくパイプや線材などの棒状部材ないしは長尺物を支持するため物品保持部材をパネル底面側に多数設ける構成だと、同じ物品保持部材を使用してほぼ同じ高さで支持できる。
【００１４】
請求項５から７の発明は、係合手段を構成している差込部の具体例を特定したもので、何れもが前記した棒状部材ないしは長尺物を支持する物品保持部材用として汎用されているため便利なものとなる。
【図面の簡単な説明】
【００１５】
【図１】第１形態に係るホールプラグを示し、（ａ）はパネル取付前状態で関連部材との関係を示す構成図、（ｂ）はパネル取付後の使用状態を示す構成図である。
【図２】第２形態に係るホールプラグを示し、（ａ）はパネル取付前状態で関連部材との関係を示す構成図、（ｂ）はパネル取付後の使用状態を示す構成図である。
【図３】第３形態に係るホールプラグを示し、（ａ）はパネル取付前状態で関連部材との関係を示す構成図、（ｂ）はパネル取付後の使用状態を示す構成図である。
【図４】第１形態のホールプラグの変形例を示し、（ａ）はパネル取付前状態で関連部材との関係を示す構成図、（ｂ）はパネル取付後の使用状態を示す構成図である。
【図５】（ａ）及び（ｂ）は第２形態と第３形態のホールプラグの変形例をパネル取付前状態で関連部材との関係を示す構成図である。
【図６】第４形態に係るホールプラグを示し、（ａ）はパネル取付前状態で関連部材との関係を示す構成図、（ｂ）は制振シートによりパネルに拘束した状態で示す構成図、（ｃ）は使用状態を示す構成図である。
【図７】特許文献１のホールプラグを使用状態で示す説明図である。
【発明を実施するための形態】
【００１６】
本発明形態を図面を参照しながら説明する。この説明では、図１の第１形態、図２の第２形態、図３の第３形態、図１から図３の各形態の変形例、図６の第４形態の順に詳述する。なお、各図では作用的に同じ部位に同一符号を付している。
【００１７】
（第１形態）図１のホールプラグ１は、樹脂の射出形成品であり、車室内のパネル３に設けられた開口３ａに挿入される開口に対応した形状の胴部１０と、胴部１０の上周囲に設けられた平板状のフランジ部１１と、胴部１０に設けられて物品保持部材４を取り付ける係合手段として差込部を構成している溝付きのスタッド１３とを備え、フランジ部１１がパネル３側に当たって規制されるまで胴部１０を開口３ａに挿入した状態でその開口を閉塞するタイプである。
【００１８】
胴部１０は、有底筒形ないしは逆凹状となっており、周囲に設けられた複数の仮止め用爪部１２と、内底面１０ｂの略中心に突出した係合手段用差込部としての溝付きスタッド１３とを有している。胴部の上面１０ａは、不用意に当たったり引っかからないよう平坦となっていて、フランジ部１１と面一に形成されている。内底面１０ｂは、周囲壁との間に溝を介して少し厚く形成されている。この厚さは、フランジ部１１がパネル３に溶融硬化した接着材２０により接合一体化された状態で、溝付きのスタッド１３を突出している逆凹部の内底面１０ｂがパネル３の下面とほぼ同じ高さになる寸法である。
【００１９】
爪部１２は、ホールプラグ１が図１（ａ）から同（ｂ）のごとくパネル３上に胴部１０を接着用溶融部材２の開口２ａから開口３ａに挿入したときに開口３ａの下縁に係合し、それにより溶融部材２が加熱されて溶融硬化されるまでホールプラグ１を仮止めする。以上の爪部１２は、図６の本止め用の係止部７に比べパネル側開口の下縁に弾性的に係合する点で同じであるが、係合又は係止力が弱く設計されている。
【００２０】
なお、接着用溶融部材２は、例えばホットメルトなどのごとく加熱により溶融硬化する組成からなり、胴部１０に嵌合可能なように開口３ａと同形の開口２ａが設けられている。組立ライン上の装着手順例としては、溶融部材２がホールプラグの胴部１０に嵌合され、その状態から、ホールプラグ１は、胴部１０がパネル３の開口３ａに挿入されることにより爪部１２を介して仮止めされる。この仮止め状態から、全体が加熱室に入れられることで溶融部材２が溶融し硬化してフランジ部１１がパネル３の上面に接着材２０を介在して接合一体化される。
【００２１】
スタッド１３は、溝として雄ねじ付きであり、物品保持部材４に応じた長さに形成されている。物品保持部材４は、特許第４５４２８２０号公報に開示されたタイプであり、両側にパイプなどの棒状部材５を保持する略凹状の受け部４ａと、受け部４ａに入れられた棒状部材５を抜け止めする抜け止め片４ｂと、スタッド１３を挿入する挿入孔４ｃと、挿入孔４ｃの内周壁面のうち、図１の前後面部に対向して設けられると共にコ形のスリットを介して区画されて挿入孔の軸線上方向に傾斜している係止片４ｄとを有している。そして、物品保持部材４は、スタッド１３に対し図１（ａ）のごとく挿入孔４ｃを一致させた状態から胴部内底面１０ｂに押し付けられることで、係止片４ｄが雄ねじの溝に係止されることで装着される。
【００２２】
（第２形態）図２のホールプラグ１は、上記第１形態に比べて差込部としてのＴ形のスタッド１５及び物品保持部材６を除いて同じである。従って、この説明では、重複記載を避けるため第１形態と異なる変更点だけを述べる。よって、第２形態のホールプラグ１に関しては、第１形態の記載のうち、溝付きのスタッド１３及び物品保持部４に関する記載を以下に述べる差込部であるＴ形のスタッド１５及び物品保持部材６に関するに記載に代えればよい。
【００２３】
すなわち、第２形態のホールプラグ１は、第１形態と同様に胴部１０の内底面１０ｂに設けられて物品保持部材６を取り付ける係合手段用差込部としてのＴ形のスタッド１５を備えている。このスタッド１５は、内底面１０ｂの略中心に突出されていると共に、全寸が物品保持部材６に応じた長さに形成されている。
【００２４】
物品保持部材６は、特許第４１３６６８８号公報に開示されたタイプであり、略Ｌ形の水平部側をパネル側への取付部とし、垂直部側をパイプなどの棒状部材５に対する保持部とした構成である。前記保持部は、略凹状の受け部６ａと、受け部６ａに入れられた棒状部材５を抜け止めする抜け止め片６ｂとからなる。取付部は、スタッド１５を挿入する筒形の挿入孔６ｃと、筒形の内壁に設けられた段部（受け部）６ｄとからなる。段部６ｄの上面は、Ｔ形のスタッド１５のうち、基端から首部の長さと略同一となっており、Ｔ形のスタッド１５の頭部を保持可能となっている。そして、物品保持部材６は、スタッド１５に対し図２（ａ）のごとく挿入孔６ｃを一致させた状態から胴部内底面１０ｂに押し付けられることで、同（ｂ）のごとくスタッド１５の頭部が段部６ｄに係止されることで装着される。
【００２５】
（第３形態）図３のホールプラグ１は、上記第１形態に比べて差込部としての爪付きのクリップ１６及び物品保持部材７を除いて同じである。従って、この説明でも、重複記載を避けるため第１形態と異なる変更点だけを述べる。よって、第３形態のホールプラグ１に関しては、第１形態の記載のうち、溝付きのスタッド１３及び物品保持部４に関する記載を以下に述べる差込部である爪付きクリップ１６及び物品保持部材７に関する記載に代えればよい。
【００２６】
すなわち、第３形態のホールプラグ１は、第１形態と同様に胴部１０の内底面１０ｂに設けられて物品保持部材７を取り付ける係合手段用差込部としての爪１６ｂ付きのクリップ１６を備えている。このクリップ１６は、内底面１０ｂの略中心に突出されていると共に、全寸が物品保持部材７に応じた長さに形成されている。爪１６ｂは、空洞脚部の対向した周囲にあってコ形状のスリット１６ｃで区画された片部の上端側に形成されている。
【００２７】
物品保持部材７は、第２形態の物品保持部６を変形したタイプであり、略Ｌ形の水平部側をパネル側への取付部とし、垂直部側をパイプなどの棒状部材５に対する保持部とした構成である。前記保持部は、略凹状の受け部７ａと、受け部７ａに入れられた棒状部材５を抜け止めする抜け止め片７ｂとからなる。取付部は、クリップ１６を挿入する筒形の挿入孔７ｃと、筒形の内壁に設けられた対向した係合穴７ｄとからなる。そして、物品保持部材７は、クリップ１６に対し図３（ａ）のごとく挿入孔７ｃを一致させた状態から胴部内底面１０ｂに押し付けられることで、同（ｂ）のごとくクリップ１６の弾性爪１６ｂが係合穴７ｄに係止されることで装着される。
【００２８】
（第１形態の変形例）図４のホールプラグ１は、上記第１形態に比べて胴部１０が断面凹状となっており、溝付きのスタッド１３が凹状の底面１０ｂの略中心に突出されている。これ以外は第１形態と同じである。
【００２９】
（第２形態の変形例）図５（ａ）のホールプラグ１は、図４と同様、上記第２形態に比べて胴部１０が断面凹状となっており、Ｔ形のスタッド１５が凹状の底面１０ｂの略中心に突出されている。これ以外は第２形態と同じである。
【００３０】
（第３形態の変形例）図５（ｂ）のホールプラグ１は、図４と同様、上記第３形態に比べて胴部１０が断面凹状となっており、弾性爪１６ｂ付きのクリップ１６が凹状の底面１０ｂの略中心に突出されている。これ以外は第３形態と同じである。
【００３１】
（第４形態）図６のホールプラグ１は、第１形態と類似しており、パネル３に設けられた開口３ａに挿入される開口に対応した形状の胴部１０と、胴部１０の上周囲に設けられた平板状のフランジ部１１と、胴部１０に設けられて物品保持部材４を取り付ける係合手段として差込部を構成している溝付きのスタッド１３とを備え、フランジ部１１がパネル３側に当たって規制されるまで胴部１０を開口３ａに挿入した状態でその開口を閉塞する点で第１形態と同じ。異なる点は、パネル３がアスファルトシート８により一体的に覆われるタイプである。このアスファルトシート８は、例えば、特開２００７−２３７８７６号公報などに開示されているごとく防音・防水・制振などを目的とした公知の部材である。通常は、アスファルトシート８がパネル３に位置決め配置した状態で、加熱装置で加熱されることによりパネル３に溶着される。
【００３２】
ホールプラグ１は、胴部１０が逆凹状となっていると共に、周囲に設けられた複数の仮止め用爪部１２と、内底面１０ｂの略中心に突出した係合手段用差込部としての溝付きスタッド１３とを有している。胴部の上面１０ａは、平坦となっていて、フランジ部１１と面一に形成されている。そして、ホールプラグ１は、図６（ａ）から同（ｂ）のごとくパネル３上に胴部１０を開口３ａに挿入すると、爪部１２が開口３ａの下縁に係合してパネル３に対し取り付けられる。その後は、アスファルトシート８がパネル３上に位置決め配置され、加熱装置で所定の温度に加熱されることによりパネル３に溶着される。このようにして、この形態では、フランジ部１１がパネル３とアスファルトシート８の対応部との間に挟み込まれて拘束されるため、図７のような単に係合により取り付ける構造に比べ取付強度及び水密性を確実に向上できる。なお、スタッド１３及び物品保持部材４の関係は第１形態と同じため説明を省く。
【００３３】
（作用）上記各形態及び各変形例のホールプラグ１は次のような利点を有している。
（ア）、各ホールプラグ１は、フランジ部１１がパネル３に面接触し易くなるように平板状に形成されている。そして、各フランジ部１１は、パネル３に対し溶融接着材２を溶融し硬化された接着材２０により面接状態で接合一体化、又は、パネル３とアスファルトシート８の対応部との間に拘束される。このため、各形態のホールプラグ１は、図７のごとく係合により取り付ける構造に比べ取付強度及び水密性を確実に向上できる。
【００３４】
（イ）、同時に、各ホールプラグ１は、物品保持部材４、６、７がパネル３の開口３ａ内に挿入される胴部底面１０ｂに設けた係合手段用差込部としての溝付きスタッド１３、Ｔ形のスタッド１５、爪付きのクリップ１６の何れかにより取り付けられるためパネル３の表面側、つまり例えば車室のパネル３であれば室内側に露出する胴部上側を極力突出しない形状に設定可能となる。この結果、各ホールプラグ１は、図７のようなパネルの表面側に張り出す構造に比べ外部からの不用意な荷重を受け難く、パネル３への安定した取付状態を維持できる。
【００３５】
（ウ）、同時に、各ホールプラグ１は、胴部底面１０ｂに突設された差込部（溝付きスタッド１３、Ｔ形のスタッド１５、爪付きのクリップ１６の何れか）を利用して、物品保持部材４、６、７を胴部底面１０ｂに当接した状態で取り付ける。このため、各構造では、物品保持部材４、６、７及びそれに保持される管や線材などの棒状部材５は胴部１０に下向きの荷重として加わるため、ホールプラグ１の取付強度、及びフランジ部１１の水密度を補強できる。第４形態では、更にパネル３の全体がアスファルトシート８で覆われるため取付強度、及び水密性をより向上できる。
【００３６】
（エ）、同時に、各ホールプラグ１は、差込部（溝付きスタッド１３、Ｔ形のスタッド１５、爪付きのクリップ１６の何れか）が凹状の底面１０ｂ又は逆凹状の内底面１０ｂの略中心に突設されているため、図１〜図４の各（ｂ）から推察されるごとく差込部を内側に挿入係止した物品保持部材４、６、７の取付状態において、物品保持部材４、６、７及び棒状部材５の下向き荷重をバランスよく受け止めることができる。
【００３７】
（オ）、その場合、フランジ部１１がパネル３に接合一体化された状態で、胴部底面１０ｂの差込部（溝付きスタッド１３、Ｔ形のスタッド１５、爪付きのクリップ１６の何れか）を突出している逆凹部の内底面１０ｂがパネル３の下面とほぼ同じ高さになっていると、図１〜図３の各（ｂ）のごとく多数の棒状部材５を支持するため物品保持部材４、６、７をパネル底面側に多数設ける構成だと、同じ物品保持部材４、６、７を使用してほぼ同じ高さで支持できる。ここで、図１の符号１３Ａは、パネル３の下面に溶接や溶着などで固定された溝付きスタッド１３に類似の溝付きスタッドである。図２の符号１５Ａは、パネル３の下面に溶接や溶着などで固定されたＴ形のスタッド１５に類似のＴ形のスタッドである。図３の符号１６Ａは、パネル３の下面に溶接や溶着などで固定された爪付きのスタッド１６に類似の爪付きのスタッドである。
【００３８】
なお、本発明のホールプラグは、以上の説明から分かるごとく請求項１で特定される構成を備えておればよく、細部は各形態及び変形例を参考にして色々に変形したり展開可能なものである。
【符号の説明】
【００３９】
１・・・ホールプラグ
２・・・接着用溶融部材（２ａは開口）
３・・・パネル（３ａは開口）
４・・・物品保持部材（４ｃは挿入孔、４ｄは係止爪）
５・・・棒状部材
６・・・物品保持部材（６ｃは挿入孔、６ｄは係合用段部）
７・・・物品保持部材（７ｃは挿入孔、７ｄは係合穴）
８・・・アスファルトシート（制振シート）
１０・・・胴部（１０ａは上面、１０ｂは底面）
１１・・・フランジ部
１３・・・溝付きスタッド
１５・・・Ｔ形のスタッド
１６・・・クリップ（１５ａは爪）
２０・・・接着材
【図１】
2014015957.tif 000003
【図２】
2014015957.tif 000004
【図３】
2014015957.tif 000005
【図４】
2014015957.tif 000006
【図５】
2014015957.tif 000007
【図６】
2014015957.tif 000008
【図７】
2014015957.tif 000009